(57)【要約】【課題】装着作業が容易で、かつ、装着中ずれないつけまつ毛を供すること【解決手段】極薄シートからなるベース１と該ベース１に植え付けられた植毛材３と上記ベース１の裏面に設けられる粘着層７とからなる。上記ベース１の厚さはミクロン（μ）単位であり、上記粘着層７は上記ベース１の裏面に突出した植毛材３の根部５を冠着する凸部９と他の部分との間に凹凸が現出される程度の薄さとして上記ベース１の裏面全面に均等な厚さで形成され、上瞼２０に付着したとき上記凸部９が上記ベース１の表面側に盛り上がるようにする。上記植毛材３は上瞼２０の下縁にそって単数又は複数の列で植え付けられる。この貼着に当たり、ベース１は面状であって基端部１９ａが実質上直線状にかつ先端部が突弧状に形成されているから、ベース１の変形は一方向のみであり、上瞼２０下縁への基端部１９ａの位置合わせが容易となる。【選択図】図１
2008231632.tif 000002
【特許請求の範囲】
【請求項１】
極薄シートからなるベースと該ベースに植え付けられた植毛材と上記ベースの裏面に設けられる粘着層とからなるつけまつ毛であって、上記ベースの厚さはミクロン（μ）単位であり、上記粘着層は上記ベースの裏面に突出した植毛材の根部を冠着する凸部と他の部分との間に凹凸が現出される程度の薄さとして上記ベースの裏面全面に均等な厚さで形成され、さらに上瞼に付着したとき上記凸部が上記ベースの表面側に盛り上がり、上記植毛材は上瞼の下縁にそって単数又は複数の列で植え付けられ、該植毛材が植え付けられる基端部を実質上直線状に切り離し可能にするとともに、上記植毛材が植え付けられない先端部が突弧状に切り離し可能にすることを特徴とするつけまつ毛。
【請求項２】
請求項１記載のつけまつ毛において、上記粘着層の厚さがベースの厚さを基準にして２０倍程度の範囲であることを特徴とするつけまつ毛。
【請求項３】
請求項１記載のつけまつ毛において、上記凹凸がベースの厚さを基準にして８０μであることを特徴とするつけまつ毛。
【発明の詳細な説明】
【技術分野】
【０００１】
本願発明はつけまつ毛に関する。
【背景技術】
【０００２】
従来のつけまつ毛１０３は、図６に示すように、幅員０．５ｍｍ位の極細線状ベース１０１に人工まつ毛が植え付けられ、まつ毛１２２の直上の瞼に接着剤により貼着していた。また図７に示すように、脱落したまつ毛１２２の部分その他の補強箇所に通常１乃至数箇所のレベルでピンセット等を用いて点状に貼着するタイプのものがあった。
【０００３】
【特許文献１】実開昭４９−４４４９３
【発明の開示】
【発明が解決しようとする課題】
【０００４】
従来は貼着に当たり接着剤を用いるため、一歩間違えば目を損傷することにもなりかねないリスクがあった。よって、貼着作業は慎重に行われるが、なかなか上手くいかず時間がかかっていた。時には上手く貼着できない状態で使用する結果にもなりかねなかった。
【０００５】
これは次の理由による。図８に示すように、従来のつけまつ毛は線状であるため、貼着の際つけまつ毛が種々に変形するがその変形が垂直方向にも水平方向にもなり、３６０度あらゆる方向に変形する。つけまつ毛の貼着は上瞼の下端という唯でさえ貼着が困難な部位に、変形自在の線状つけまつ毛を貼着するというのは位置合わせが非常に困難であり、高度の習熟を要するからである。
【０００６】
また上手く貼着できた場合でも、貼着面積が線状又は点状と非常に小であるため、装着中瞼の上下動によりずれてくることがあり甚だ不体裁であった。
【０００７】
従来のつけまつ毛はベース１０１が線状又は点状であって接着面積が小であるため、使用時間が短く、洗顔により脱落したりずれたりすることがあった。
【０００８】
さらに、溶剤を含有する接着剤を用いるため、装着後溶剤の揮発により一定時間目を開けることができなかった。
【０００９】
本願発明の目的は上記欠点を解消すること、具体的には、装着作業が容易で、かつ、装着中ずれないつけまつ毛を供することである。その他の目的は以下の説明より明らかにする。
【課題を解決するための手段】
【００１０】
上記目的達成のため、本願発明は、極薄シートからなるベースと該ベースに植え付けられた植毛材と上記ベースの裏面に設けられる粘着層とからなるつけまつ毛であって、上記ベースの厚さはミクロン（μ）単位であり、上記粘着層は上記ベースの裏面に突出した植毛材の根部を冠着する凸部と他の部分との間に凹凸が現出される程度の薄さとして上記ベースの裏面全面に均等な厚さで形成され、さらに上瞼に付着したとき上記凸部が上記ベースの表面側に盛り上がり、上記植毛材は上瞼の下縁にそって単数又は複数の列で植え付けられ、該植毛材が植え付けられる基端部を実質上直線状に切り離し可能にするとともに、上記植毛材が植え付けられない先端部が突弧状に切り離し可能にすることを特徴とする。
また、請求項１記載のつけまつ毛において、上記粘着層の厚さがベースの厚さを基準にして２０倍程度の範囲であることを特徴とする。
また、請求項１記載のつけまつ毛において、上記凹凸がベースの厚さを基準にして８０μであることを特徴とする。
【発明の効果】
【００１１】
本願発明によるつけまつ毛は貼着面が面状に幅広に構成され、この幅広の貼着面２が上瞼に貼着される。
【００１２】
この貼着に当たり、ベースは面状であって基端部が実質上直線状にかつ先端部が突弧状に形成されているから、ベースの変形は図５に点線で示すように一方向のみであり、それ以外の変形は実質上無視することができる。
【００１３】
よってつけまつ毛の装着に当たり、上瞼下縁への基端部の位置合わせは手にするベースの面が幅広の取扱い易い面であることと相まって非常に容易となり、装着作業の手間と時間を大幅に節約することができる。
【００１４】
また貼着面が面状であり上瞼に貼着される面積が広いので、装着中つけまつ毛がずれるおそれがない。
【発明を実施するための最良の形態】
【００１５】
次に、実施の形態を示す図面に基づき本願発明によるつけまつ毛をさらに詳しく説明する。なお、便宜上同一の機能を奏する部分には同一の符号を付してその説明を省略する。
【００１６】
図１乃至図４において、１はベース、１ａは切り離し後のベースであり、いずれも人皮程度の極薄のシート（例えば厚さ２０μ）からなる。以下「ベース１」というときはとくにことわりがない場合の外は、切り離し後のベース１ａも含むものとする。該ベース１は伸縮性のある無色透明の素材、例えばポリウレタン製であり、平面状に形成される。３は該ベース１に植付けられた植毛材であり、例えばポリエステル繊維からなる。該植毛材３は例えばＶ型植毛法により植え付けられる。４は該植毛材３の植え付け時に図示しないピンにより、根部５に点状に付与された接着剤であり、根部５をベース１の裏面に固着する。これにより、植え付けられた植毛材３のベース１への固着が強固となり、植毛材３の立設状態を支える。植え付けられた植毛材３の根部５は、ベース１の裏面に突設状態となっている。６は植付けられた植毛材３の自由端部である。７は粘着層であり、上記ベース１の裏面全面に均等な厚さで形成される。該粘着層７の厚さＢは、上記根部５を冠着する凸部９と他の部分（凹部１１）との間に凹凸が現出される程度の薄さに形成する。なお、図１（Ａ）乃至（Ｃ）において凸部９及び凹部１１は省略されている。
【００１７】
上記粘着層７は例えばアクリル系粘着剤からなり、転写法により形成する。即ち、両面に剥離紙１５、１７を設けたアクリル系粘着剤の一の面の剥離紙（ＰＥＴ）１５を剥してその面をベース１の裏面全面に固着し、使用時に他の面の剥離紙１７を剥して上瞼２０（図４に示す）の適用部位に貼付する。
【００１８】
１９は該剥離紙１７に表示されるモデルラインである。該モデルライン１９は植毛材３が植え付けられる基端部１９ａを実質上直線状に形成するとともに、植毛材３が植え付けられない先端部１９ｂを眼球２１の上方曲線２１ａ（図４に示す）に合わせるようパターン化された突弧状の曲線に形成されている。２２は人体のまつ毛である。図１（Ａ）に上記モデルライン１９に沿って切離されるベース１を「１ａ」として示す。２は切離されたベース１ａの貼着面である。なお、図１は模式図であり、図１（Ａ）及び図１（Ｂ）に示す植毛材３の植え付け本数は簡略化して示してある。
【００１９】
本願発明によるつけまつ毛は貼着面２が面状に幅広に構成され、幅広の貼着面２が上瞼２０に貼着される。
【００２０】
この貼着に当たり、ベースが基端部１９ａを実質上直線状に切り離し可能にするとともに、先端部１９ｂが突弧状に切り離し可能に形成されているから、ベースの変形は図５に点線で示すように一方向のみであり、それ以外の変形は実質上無視することができる。
【００２１】
このようにベース１ａの変形が制限的であるため、上瞼２０の下縁への先端部１９ａの位置合わせは、手にするベース１ａの面が幅広の取扱い易い面であることと相まって非常に容易となり、装着作業の手間と時間を大幅に節約することができる。
【００２２】
また貼着面が面状であり上瞼２０に貼着される面積が広いので、装着中つけまつ毛がずれるおそれがない。
【００２３】
装着は上瞼２０でありまつ毛２２に装着するのでないから、まつ毛２２にかかる負担が全くない。
【００２４】
さらに、幅広の貼着面２を上瞼２０に装着することにより、上瞼２０の「開」状態において幅広の貼着面２が上瞼２０の突支い効果を発揮し、これにより一重瞼が二重瞼に矯正される。
【００２５】
表１に粘着層７の厚さＢの実施例及びこれとベース１の厚さＡとの比（Ｂ／Ａ比）並びに粘着層７の凹凸（凸部９から凹部１１までの高さ）Ｃの実施例及びこれとベース１の厚さＡとの比（Ｃ／Ａ比）を各示す。
【００２６】
【表１】
2008231632.tif 000003
【００２７】
Ｂ／Ａ比はベース１の厚さＡが一定のため粘着層７の厚さＢに比例するが、粘着層７の厚さＢが均一であるために粘着層７の凹凸Ｃが一定となるので、Ｃ／Ａ比が一定となる。これにより、次に述べるような作用効果を有する。
【００２８】
まず、図３に示すように、ベース１ａ裏面の凹凸は上瞼２０に付着されると、上瞼２０が平滑であるため、上瞼２０に押されて持ち上がる。
【００２９】
このためベース１ａの表面において、植毛材３の根部５を冠着する凸部９が凹部１１より盛り上がった状態となる。これを凹凸の反転現象（当初下向きの凹凸が上向きになる現象）という。これはベース１ａ及び粘着層７が均一の極薄に形成されているために起こる。凸部９の盛り上がった状態を「９Ａ」と示す。
【００３０】
このようにベース１ａの表面全体に凹凸が出来ると、ベース１ａに当たる光（矢印で示す）が乱反射されるので、ベース１ａが光らず、つけまつ毛であることの見分けがつき難い。
【００３１】
上瞼２０に付着したときのかかる凹凸の反転現象により、植毛材３は矢印Ｆにて示すように薄い粘着層７を介してベース１ａの表面側に上瞼２０により押された状態となっているので、植毛材３の固定が強化され、ベース１ａからの植毛材３の離脱（いわゆる「抜け」）を防止する。
【００３２】
図３に示すように、植毛材３を植付けていない部分（凹部１１）のベース１ａへの光透過率はベース１ａ及び粘着層７が極薄のため大であるので、上瞼２０が透けて見える。よってこの面からもつけまつ毛であることの見分けがつき難い。
【００３３】
粘着層は転写法により形成されＣ／Ａ比が一定であるため、粘着面を機械的工業的に均一かつ極薄に製造することができる。
【００３４】
ベース１ａは収縮性素材からなるため、上瞼２０への付着後ベース１ａの収縮により根付けした部分の存在を目立たせない効果がある。
【００３５】
上記上瞼２０との一体化及び大なる接着面積をもって上瞼２０に装着されるため、位置ズレの心配がないだけでなく、着けたままでの洗顔や水泳等々が可能となる。また皮膚との間に隙間なく密着するから自然毛との親和性が大となり、ベース１ａが極薄かつ柔らかいため上瞼２０への違和感がない。また、大なる接着面積をもって上瞼２０に装着されるためまつ毛２２にかかっていた負担が全くない。
【００３６】
本願発明は上記した実施の形態に限定されない。例えば、上記実施例で述べたベース１の厚さ、粘着層７の厚さ、ベース１の凹凸の数値は一例として理解するべきであり、本願発明の趣旨を逸脱しない限り数値の変更は許される。例えば、ベース１の厚さＡ、粘着層７の厚さＢ、ベース１の凹凸Ｃは表２の如く変更することができる。
【００３７】
【表２】
2008231632.tif 000004
【００３８】
表１又は表２に示すＢ／Ａ比の変化は、適用される皮膚の性質や環境に合わせて使い分けることができる。例えば、多汗症や皮脂分泌の多い場合には、粘着層７に汗や皮脂を吸収する機能があることより、Ｂ／Ａ比の大なるタイプを使用する。
【００３９】
ベース１は厚さが厚くなるほど引張強度が大となり、薄くなるほど皮膚との親和性が大となるので、引張強度よりも親和性を重視する場合はベース１厚の薄いタイプを使用するのが望ましい。
【００４０】
また植毛材の植え付けの方法は任意である。
【００４１】
本願発明によるつけまつ毛の装着面の長さＬ、幅Ｗのサイズは任意である。例えば長さＬを４０ｍｍ〜１００ｍｍ程度、幅Ｗを５ｍｍ〜１０ｍｍとすることができる。
【産業上の利用可能性】
【００４２】
本願発明はつけまつ毛として活用することができる。
【図面の簡単な説明】
【００４３】
【図１】（Ａ）は本願発明によるつけまつ毛の実施の形態を示す正面図、（Ｂ）は（Ａ）のＢ−Ｂ断面図、（Ｃ）は（Ａ）のＣ−Ｃ断面図、（Ｄ）は（Ａ）の背面図である。
【図２】図１（Ｂ）のＩＩ部拡大断面図である。
【図３】本願発明によるつけまつ毛を装着した状態の図である。
【図４】（Ａ）は本願発明によるつけまつ毛の装着状態を示す概略正面図、（Ｂ）は（Ａ）の右側面図である。
【図５】本願発明によるつけまつ毛の装着状態を説明する図である。
【図６】（Ａ）は従来のつけまつ毛の一例を示す正面図、（Ｂ）は（Ａ）のつけまつ毛の装着状態を示す概略正面図である。
【図７】従来のつけまつ毛の他の例を示す正面図、（Ｂ）は（Ａ）のつけまつ毛の装着状態を示す概略正面図である。
【図８】従来のつけまつ毛の装着状態を説明する図である。
【符号の説明】
【００４４】
１      ベース
１ａ    ベース
２      貼着面
３      植毛材
４      接着剤
５      根部
６      自由端部
７      粘着層
９      凸部
１１    凹部
１５    剥離紙
１７    剥離紙
１９    モデルライン
１９ａ  基端部
１９ｂ  先端部
２０    上瞼
２１    目
２１ａ  上方曲線
２２    まつ毛  
【図１】
2008231632.tif 000005
【図２】
2008231632.tif 000006
【図３】
2008231632.tif 000007
【図４】
2008231632.tif 000008
【図５】
2008231632.tif 000009
【図６】
2008231632.tif 000010
【図７】
2008231632.tif 000011
【図８】
2008231632.tif 000012